【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
双方向に通信が可能な二つの通信ポートを備えた二つ以上の伝送局が、各々の該二つの通信ポートにより伝送路を介して相互をリング状に接続して伝送局相互間で交信を行えるように構成した二重リング・ネットワークにおいて、
初期化が完了している状態で、前記該伝送局の一つ以上が、特定情報を含む一つ以上の伝送フレームを、周期的に送出し、
伝送局は、
前記２つの通信ポート（以降、通信ポートＡ、通信ポートＢと記載）又はいずれかの、通信ポートを介して伝送フレームを送出若しくは受信する手段と、
前記伝送フレームを受信し、周期的に送出された伝送フレームから特定情報が、設定された条件に合う伝送フレーム（以降、ＳＹＮフレームと記載）をそれぞれ検出するＳＹＮフレーム検出手段Ａ、ＳＹＮフレーム検出手段Ｂと、
前記ＳＹＮフレーム検出手段Ａ、ＳＹＮフレーム検出手段Ｂの出力信号から、前記ＳＹＮフレームの受信が予め設定した期間にわたり無いことを検出するＳＹＮ無検出手段Ａ、ＳＹＮ無検出手段Ｂと、
一方の前記通信ポートを介して、周期的なＳＹＮフレームの到来が連続継続する状態で、他方の通信ポートを介して周期的な到来が連続して予め指定した期間にわたらないことを検出するＳＹＮ断検出手段と、
前記通信ポートを介して受信する伝送フレームの受信信号状態の異常を検出する受信異常検出手段Ａ、受信異常検出手段Ｂとを備え、
前記ＳＹＮ無検出手段Ａ、ＳＹＮ無検出手段Ｂで、前記ＳＹＮ無検出状態を検出した通信ポートＡまたは通信ポートＢを介して受信される伝送フレームを検出判別して、前記伝送フレームに含まれる情報に応じて応答する一方、前記通信ポートＢ又は前記通信ポートＡを受信した通信ポートから他方の通信ポートへの中継を通して他方の通信ポートから前記伝送フレームを送出しないブロック状態に移行する手段と、
前記受信異常検出手段Ａ、受信異常検出手段Ｂで、受信異常検出状態を検出した通信ポートＡまたは通信ポートＢをブロック状態とすることで、故障発生の検出から、回復手順によるネットワーク機能回復に至る間、複数の伝送局の通信ポートを非ブロック状態に維持する手段と、
を備えて前記終端局の機能を各々の複数伝送局で果たすようにしたことを特徴とする二重リング・ネットワークの伝送局。
【請求項２】
双方向に通信が可能な二つの通信ポートを備えた二つ以上の伝送局が、各々の該二つの通信ポートにより伝送路を介して相互をリング状に接続して伝送局相互間で交信を行えるように構成した二重リング・ネットワークにおいて、
初期化が完了し、二つの隣接する終端局により、伝送フレームがリング状のネットワーク内を循環し続けないよう構成された状態で、該伝送局の一つ以上が、特定情報を含む一つ以上の周期的に送出される伝送フレームに加え、ＳＹＮフレームや、単発的に送出される伝送フレームを、特に規定しない二重リング・ネットワーク上での伝送フレーム同士の衝突を回避する伝送路制御方式に従って送出している状態で、
前記伝送局は、
特定制御情報を含む伝送フレーム（以降、ＲＲＲフレームと記載）の受信を各々検出するＲＲＲフレーム受信検出手段Ａ、ＲＲＲフレーム受信検出手段Ｂと、
自局の識別情報を設定する自局アドレス設定手段と、
通信ポートＡ、通信ポートＢに隣接する伝送局の識別情報を各々、設定する隣接局アドレス設定手段
Ａ、隣接局アドレス設定手段Ｂと、
いずれかの前記ＲＲＲフレーム受信検出手段の受信出力により、受信したＲＲＲフレーム中の受信先情
報と自局識別情報との比較一致を検出するアドレス一致検出手段と、
前記アドレス一致検出手段の一致出力を受けて、前記ＲＲＲフレームを受信した通信ポート（以降、ＲＲＲ受信ポート）を非ブロック状態に変更するブロックポート・リセット手段と、
前記アドレス一致検出手段の不一致出力を受けて、ＲＲＲ受信ポートに対応した隣接する伝送局の識別情報を隣接局アドレス設定手段から読み出して、受信先に指定し生成したＲＲＲフレームを、ＲＲＲ受信ポートを介して、ＲＲＲフレームの受信完了のタイミングで直ちに送出するＲＲＲ受信応答手段と、
前記ＲＲＲフレームを送出後、予め指定した時間以内に、自局を受信先に指定したＲＲＲフレームの受信を監視し検出するＲＲＲ応答確認手段とを用意して、
前記ＳＹＮフレームを送出する伝送局（以降、同期局と記載）を含む伝送局から終端局を含む経路上の伝送路や伝送局に異常が発生した場合、異常発生個所から、終端局に至る伝送局では、異常発生に対応して、該ＳＹＮ無検出手段と該受信異常検出手段により異常状態を検出するステップと、
また、異常発生個所から同期局に向かう経路上で異常発生個所に隣接する伝送局では、
前記受信異常検出手段により異常状態を検出するステップと、
検出した通信ポートの状態を、各々でブロック状態とし、二つの終端局のうち、同期局から異常個所に向かう経路上の先に位置する終端局では、前記該ＳＹＮ断検出手段による異常状態の検出出力と、ＳＹＮ無検出手段によるＳＹＮ無検出出力により、同期局に向かう経路上で異常が発生したとして、該終端局（以降、ＳＹＮ断検出終端局と記載）は判断するステップと、
また、他方の終端局（以降、ＳＹＮ正常終端局と記載）では、ＳＹＮフレームを正常に受信し続けることから、前記該ＳＹＮ正常終端局から同期局間は正常に通信機能を維持していると判断するステップと、
ＳＹＮ断検出終端局は、
前記ＳＹＮ断検出と前記ＳＹＮ無検出手段からＳＹＮ断状態の異常発生を検出すると、直ちに、受信先としてＳＹＮ正常終端局を指定したＲＲＲフレームを、前記通信ポートＡ、前記通信ポートＢを介して送出するステップと、
前記ＲＲＲ応答確認手段にて、前記ＳＹＮ正常終端局とは反対側に隣接する伝送局からの応答を待機するステップと、
前記ＳＹＮ正常終端局では、該ＳＹＮ断検出終端局からのＲＲＲフレームを受信すると、自局が受信先のことから、該ブロックポート・リセット手段により、終端局としてブロック状態にあつたＲＲＲ受信ポートを非ブロック状態にし、終端局状態を解除するステップと、
前記ＳＹＮ断検出終端局から異常発生箇所に至る正常に機能する伝送局の各々は、前記ＳＹＮ断検出終端局からのＲＲＲフレームを受信すると、受信先でないことから、前記ＲＲＲ受信応答手段により、前記ＳＹＮ断検出終端局に向かう隣接する伝送局を受信先とするＲＲＲフレームを、ＲＲＲ受信ポートを介して、ＲＲＲフレームの受信完了後に直ちに送出するステップと、
前記ＳＹＮ断検出終端局では、前記ＲＲＲ応答確認手段により、前記同期局に向かう隣接局より自局が指定されたＲＲＲフレームの時間内での受信があると、異常検出時点からブロック状態にしていた通信ポートを非ブロック状態に変更し、その後、前記ＲＲＲ応答確認手段の予め指定した時間が経過後に、終端局として元々ブロック状態にあった他の通信ポートも非ブロック状態に変更して終端局状態を解除するステップと、
前記ＳＹＮ断検出終端局から異常発生箇所に至る正常に機能する各々の伝送局では、前記ＲＲＲ応答確認手段により、同期局に向かう隣接局より自局が指定されたＲＲＲフレームの受信を確認すると、異常検出時点からブロック状態にしていた受信ポートを非ブロック状態にするステップと、
前記ＳＹＮ断検出終端局に向かう異常個所に隣接する伝送局では、前記ＲＲＲ応答確認手段により、指定時間を経過しても自局を指定したＲＲＲフレームの受信がないことで、通信ポートのブロック状態を維持し、新たな終端局として機能するステップと、
前記ＳＹＮ断検出終端局に隣接する箇所にて異常が発生した場合には、同様に、前記ＲＲＲ応答確認手段により、予め指定した時間を経過しても自局を指定したＲＲＲフレームの受信がない場合は、異常検出時点でブロック状態にしていた通信ポートのブロック状態を維持するステップと、
終端局として元々ブロック状態にあった他方の通信ポートを非ブロック状態とし、新たな終端局とし、異常発生箇所から同期局に向かう隣接局と、異常発生箇所から反対側に向かう隣接局を、新たな二重リング・ネットワークの終端局とするように変更して、通信異常の発生時に、リング状のネットワークを再構成するステップと
を行うことを特徴とする二重リング・ネットワークの異常発生時の再構築方法。
【請求項３】
二重リング・ネットワークの異常発生時の再構築方法において、
初期化が完了し、二つの隣接する終端局により、伝送フレームがリング状のネットワーク内を循環し続けないよう構成された状態で、該伝送局の一つ以上が、特定情報を含む一つ以上の周期的に送出される伝送フレームに加え、ＳＹＮフレームや、単発的に送出される伝送フレームを、特に規定しない二重リング・ネットワーク上での伝送フレーム同士の衝突を回避する伝送路制御方式に従って送出している状態で、
伝送局は、
自局の識別情報を設定する自局アドレス設定手段と、通信ポートＡ、通信ポートＢに隣接する伝送局の識別情報を各々設定する隣接局アドレス設定手段Ａ、隣接局アドレス設定手段Ｂを用意し、
前記ＳＹＮフレームを送出する伝送局（以降、同期局と記載）含むめ伝送局から、終端局を含む経路上で、伝送路や伝送局に異常が発生した場合、異常発生個所から、終端局に至る伝送局では、異常発生に対応して、該ＳＹＮ無検出手段と該受信異常検出手段により異常状態を検出するステップと、
異常発生個所から同期局に向かう経路上で異常発生個所に隣接する伝送局では、
受信異常検出手段により異常状態を検出するステップと、
検出した通信ポートの状態を、各々でブロック状態とし、該二つの終端局のうち、同期局から異常個所に向かう経路上の先に位置する終端局では、該ＳＹＮ断検出手段による異常状態の検出出力と、ＳＹＮ無検出手段によるＳＹＮ無検出出力により、前記同期局に向かう経路上で異常が発生したとして、前記終端局（以降、ＳＹＮ断検出終端局と記載）は判断するステップと、
他方の終端局（以降、ＳＹＮ正常終端局と記載）では、ＳＹＮフレームを正常に受信し続けることから、前記ＳＹＮ正常終端局から同期局間は正常に通信機能を維持していると判断し、前記ＳＹＮ断検出終端局は、ＳＹＮ正常終端局から受信する伝送フレーム列を監視するステップと、
二重リングネットワーク上での伝送フレーム同士の衝突を回避する伝送路制御方式に従い自局に割り当てられた伝送フレームの送出タイミングで、受信先として前記ＳＹＮ正常終端局を指定した、特定制御情報を含む伝送フレーム（以降、ＲＲＲフレームと記載）を、通信ポートＡ、通信ポートＢを介して送出し、前記同期局に向かう隣接局から自局を受信先に指定したＲＲＲフレームの受信を待機するステップと、
前記ＳＹＮ正常終端局では、該ＳＹＮ断検出終端局からのＲＲＲフレームを受信すると、受信したＲＲＲフレーム中の受信先情報と自局識別情報とを比較し、自局が受信先のことから、該ＲＲＲフレームを受信した通信ポート（以降、ＲＲＲ受信ポート）を、終端局として元々ブロック状態であったものを非ブロック状態にし、終端局状態を解除するステップと、
前記ＳＹＮ断検出終端局から異常発生箇所に至る正常に機能する伝送局の各々は、前記ＳＹＮ断検出終端局からのＲＲＲフレームを受信すると、受信したＲＲＲフレーム中の受信先情報と自局識別情報とを比較するステップと、
受信先でないことから、該ＲＲＲ受信応答手段により、ＳＹＮ断検出終端局に向かう隣接する伝送局を受信先とするＲＲＲフレームを、ＲＲＲ受信ポートを介して、ＲＲＲフレームの受信完了後に、直ちに送出するステップと、
前記ＳＹＮ断検出終端局では、同期局に向かう隣接局より自局が指定されたＲＲＲフレームを予め指定した時間内で受信すると、異常検出時点からブロック状態にしていた通信ポートを非ブロック状態に変更するステップと、
その後、ＲＲＲ応答確認手段の予め指定した時間が経過後に、終端局として元々ブロック状態にあった他の通信ポートも非ブロック状態に変更し、終端局状態を解除するステップと、
前記ＳＹＮ断検出終端局から異常発生箇所に至る正常に機能する各々の伝送局では、同期局に向かう隣接局より自局が指定されたＲＲＲフレームの予め指定した時間内に受信を確認すると、異常検出時点からブロック状態にしていたＲＲＲ受信ポートを非ブロック状態にするステップと、
前記ＳＹＮ断検出終端局に向かう異常個所に隣接する伝送局では、前記ＲＲＲ応答確認手段により、予め指定した時間を経過しても自局を指定したＲＲＲフレームの受信がないことで、通信ポートのブロック状態を維持し、新たな終端局として機能するステップと、
前記ＳＹＮ断検出終端局に隣接する箇所にて異常が発生した場合には、同様に、予め指定した時間を経過しても自局を指定したＲＲＲフレームの受信がない場合は、異常検出時点でブロック状態にしていた通信ポートの状態を維持するステップと、
終端局としてブロック状態にあった他方の通信ポートを非ブロック状態とし、新たな終端局とし、異常発生箇所から同期局に向かう隣接局と、異常発生箇所から反対側に向かう隣接局を、新たな二重リング・ネットワークの終端局とするように変更して、通信異常の発生時に、リング状のネットワークを再構成するステップと、
を行うことを特徴とする二重リング・ネットワークと異常発生時の再構成方法。
【請求項４】
前記請求項１から請求項３に記載の二重リング・ネットワークの異常発生時の再構成方法において、
前記通信ポートを介して送出し受信する該伝送フレーム形式、前記該通信ポートの伝送路インタフェースとして、ＩＳＯ／ＩＥＣ８８０２−３規格に従う二重リング・ネットワークの異常発生時の再構成方法。
【請求項５】
双方向に通信が可能な第１の通信ポート及び第２の通信ポートを備えた伝送局を伝送路を介してリング状に接続し、これらの伝送局の内で基点局がフレーム信号を右回りの経路及び左周りの経路で送信し、右回りの経路の終端局及び左回りの経路の終端局のそれぞれが前記基点局からのフレーム信号を返信するネットワークシステムにおいて、
前記伝送局及び終端局並びに基点局は、
前記右回りの経路で通信可能とする第１の通信ポート及び前記左回りの経路で通信可能とする第２の通信ポートから前記フレーム信号が受信されたかどうかを判定する手段と、
前記受信されないときは、前記第１及び第２の通信ポートから経路確認のための経路確認フレーム信号を隣接の伝送局に送信する手段と、
前記経路確認フレームが隣接の伝送局から返信がないときは、自局を前記終端局として設定する手段と、
を備えてなることを特徴とするネットワークシステム。
【請求項６】
自局が前記終端局となっているとき、前記フレーム信号が右回りの経路又は左回りの経路で入力しないときは、終端局としての設定を解除する手段と
を有することを特徴とする請求項５に記載のネットワークシステム。
【請求項７】
双方向に通信が可能な第１の通信ポート及び第２の通信ポートを備えた伝送局を、伝送路を介して接続し、これらの伝送局の内で基点局がフレーム信号を右回りの経路及び左周りの経路で送信して右回りの経路の終端局及び左回りの経路の終端局のそれぞれが前記基点局からのフレーム信号を返信し、いずれかの伝送路で異常が発生したときは、新たに終端局を設定するネットワークシステムの制御方法であって、
前記伝送局及び終端局並びに基点局は、
前記右回りの経路で通信可能とする第１の通信ポート及び前記左回りの経路で通信可能とする第２の通信ポートから前記フレーム信号が受信されたかどうかを判定する工程と、
前記受信されないときは、前記第１及び第２の通信ポートから経路確認のための経路確認フレーム信号を隣接の伝送局に送信する工程と、
前記経路確認フレームが隣接の伝送局から返信がないときは、自局を前記終端局として設定する工程と、
自局が右回りの経路で終端局となったときは、前記基点局からの右回りからのフレーム信号を後段の隣接する右の伝送局に伝送しない又は自局が左回りの経路で終端局となったときは後段の隣接する左の伝送局に伝送しない工程と、
を行うことを特徴とするネットワークシステムの制御方法。
【請求項８】
自局が前記終端局となっているとき、前記フレーム信号が右回りの経路又は左回りの経路で入力しないときは、終端局としての設定を解除する工程と
を行うことを特徴とする請求項７に記載のネットワークシステムの制御方法。
【請求項９】
二重リング・ネットワークシステムの伝送路間に配置され、右回りで通信が可能な第１の通信ポート及び左回りで通信が可能な第２の通信ポートを備えた伝送局において、
前記右回りの経路で通信可能とする第１の通信ポート及び前記左回りの経路で通信可能とする第２の通信ポートから前記フレーム信号が受信されたかどうかを判定する手段と、
前記受信されないときは、前記第１及び第２の通信ポートから経路確認のための経路確認フレーム信号を隣接の伝送局に送信する手段と、
前記経路確認フレームが隣接の伝送局から返信がないときは、自局を前記終端局として設定する手段と、
自局が右回りの経路で終端局となったときは、前記基点局からの右回りからのフレーム信号を後段の隣接する右の伝送局に伝送しない又は自局が左回りの経路で終端局となったときは後段の隣接する左の伝送局に伝送しない手段と
を有することを特徴とする伝送局。
【請求項１０】
自局が前記終端局となっているとき、前記フレーム信号が右回りの経路又は左回りの経路で入力しないときは、終端局としての設定を解除する手段と
を有することを特徴とする請求項９に記載の伝送局。
【請求項１１】
二重リング・ネットワークシステムの伝送路間に配置され、右回りで通信が可能な第１の通信ポート及び左回りで通信が可能な第２の通信ポートを用いて制御する伝送局のプログラムであって、
コンピュータに、
前記右回りの経路で通信可能とする第１の通信ポート及び前記左回りの経路で通信可能とする第２の通信ポートから前記フレーム信号が受信されたかどうかを判定する手段、
前記受信されないときは、前記第１及び第２の通信ポートから経路確認のための経路確認フレーム信号を隣接の伝送局に送信する手段、
前記経路確認フレームが隣接の伝送局から返信がないときは、自局を前記終端局として設定する手段、
自局が右回りの経路で終端局となったときは、前記基点局からの右回りからのフレーム信号を後段の隣接する右の伝送局に伝送しない又は自局が左回りの経路で終端局となったときは後段の隣接する左の伝送局に伝送しない手段としての機能を実行させるための伝送局のプログラム。
【請求項１２】
前記コンピュータに、
自局が前記終端局となっているとき、前記フレーム信号が右回りの経路又は左回りの経路で入力しないときは、終端局としての設定を解除する手段
としての機能を実行させるための請求項１１に記載の伝送局のプログラム。
【手続補正２】
【補正対象書類名】明細書
【補正対象項目名】発明の名称
【補正方法】変更
【補正の内容】
【発明の名称】二重リング・ネットワークの伝送局及び二重リング・ネットワークの異常発生時の再構築方法並びにネットワークシステム、ネットワークシステムの制御方法、伝送局、伝送局のプログラム
【手続補正３】
【補正対象書類名】明細書
【補正対象項目名】００２２
【補正方法】変更
【補正の内容】
【００２２】
本発明の二重リング・ネットワークの伝送局は、
双方向に通信が可能な二つの通信ポートを備えた二つ以上の伝送局が、各々の該二つの通信ポートにより伝送路を介して相互をリング状に接続して伝送局相互間で交信を行えるように構成した二重リング・ネットワークにおいて、
初期化が完了している状態で、前記該伝送局の一つ以上が、特定情報を含む一つ以上の伝送フレームを、周期的に送出し、
伝送局は、
前記２つの通信ポート（以降、通信ポートＡ、通信ポートＢと記載）又はいずれかの、通信ポートを介して伝送フレームを送出若しくは受信する手段と、
前記伝送フレームを受信し、周期的に送出された伝送フレームから特定情報が、設定された条件に合う伝送フレーム（以降、ＳＹＮフレームと記載）をそれぞれ検出するＳＹＮフレーム検出手段Ａ、ＳＹＮフレーム検出手段Ｂと、
前記ＳＹＮフレーム検出手段Ａ、ＳＹＮフレーム検出手段Ｂの出力信号から、前記ＳＹＮフレームの受信が予め設定した期間にわたり無いことを検出するＳＹＮ無検出手段Ａ、ＳＹＮ無検出手段Ｂと、
一方の前記通信ポートを介して、周期的なＳＹＮフレームの到来が連続継続する状態で、他方の通信ポートを介して周期的な到来が連続して予め指定した期間にわたらないことを検出するＳＹＮ断検出手段と、
前記通信ポートを介して受信する伝送フレームの受信信号状態の異常を検出する受信異常検出手段Ａ、受信異常検出手段Ｂとを備え、
前記ＳＹＮ無検出手段Ａ、ＳＹＮ無検出手段Ｂで、前記ＳＹＮ無検出状態を検出した通信ポートＡまたは通信ポートＢを介して受信される伝送フレームを検出判別して、前記伝送フレームに含まれる情報に応じて応答する一方、前記通信ポートＢ又は前記通信ポートＡを受信した通信ポートから他方の通信ポートへの中継を通して他方の通信ポートから前記伝送フレームを送出しないブロック状態に移行する手段と、
前記受信異常検出手段Ａ、受信異常検出手段Ｂで、受信異常検出状態を検出した通信ポートＡまたは通信ポートＢをブロック状態とすることで、故障発生の検出から、回復手順によるネットワーク機能回復に至る間、複数の伝送局の通信ポートを非ブロック状態に維持する手段と、
を備えて前記終端局の機能を各々の複数伝送局で果たすようにしたことを要旨とする。  
これによって、故障発生の検出から、回復手順によるネットワーク機能回復に至る間、複数の伝送局の通信ポートを非ブロック状態に維持して、終端局の機能を複数伝送局で果たすようにできる。
【手続補正４】
【補正対象書類名】明細書
【補正対象項目名】００２３
【補正方法】変更
【補正の内容】
【００２３】
本発明の二重リング・ネットワークと異常発生時の再構成方法は、双方向に通信が可能な二つの通信ポートを備えた二つ以上の伝送局が、各々の該二つの通信ポートにより伝送路を介して相互をリング状に接続して伝送局相互間で交信を行えるように構成した二重リング・ネットワークにおいて、
初期化が完了し、二つの隣接する終端局により、伝送フレームがリング状のネットワーク内を循環し続けないよう構成された状態で、該伝送局の一つ以上が、特定情報を含む一つ以上の周期的に送出される伝送フレームに加え、ＳＹＮフレームや、単発的に送出される伝送フレームを、特に規定しない二重リング・ネットワーク上での伝送フレーム同士の衝突を回避する伝送路制御方式に従って送出している状態で、
前記伝送局は、
特定制御情報を含む伝送フレーム（以降、ＲＲＲフレームと記載）の受信を各々検出するＲＲＲフレーム受信検出手段Ａ、ＲＲＲフレーム受信検出手段Ｂと、
自局の識別情報を設定する自局アドレス設定手段と、
通信ポートＡ、通信ポートＢに隣接する伝送局の識別情報を各々、設定する隣接局アドレス設定手段
Ａ、隣接局アドレス設定手段Ｂと、
いずれかの前記ＲＲＲフレーム受信検出手段の受信出力により、受信したＲＲＲフレーム中の受信先情
報と自局識別情報との比較一致を検出するアドレス一致検出手段と、
前記アドレス一致検出手段の一致出力を受けて、前記ＲＲＲフレームを受信した通信ポート（以降、ＲＲＲ受信ポート）を非ブロック状態に変更するブロックポート・リセット手段と、
前記アドレス一致検出手段の不一致出力を受けて、ＲＲＲ受信ポートに対応した隣接する伝送局の識別情報を隣接局アドレス設定手段から読み出して、受信先に指定し生成したＲＲＲフレームを、ＲＲＲ受信ポートを介して、ＲＲＲフレームの受信完了のタイミングで直ちに送出するＲＲＲ受信応答手段と、
前記ＲＲＲフレームを送出後、予め指定した時間以内に、自局を受信先に指定したＲＲＲフレームの受信を監視し検出するＲＲＲ応答確認手段とを用意して、
前記ＳＹＮフレームを送出する伝送局（以降、同期局と記載）を含む伝送局から終端局を含む経路上の伝送路や伝送局に異常が発生した場合、異常発生個所から、終端局に至る伝送局では、異常発生に対応して、該ＳＹＮ無検出手段と該受信異常検出手段により異常状態を検出するステップと、
また、異常発生個所から同期局に向かう経路上で異常発生個所に隣接する伝送局では、
前記受信異常検出手段により異常状態を検出するステップと、
検出した通信ポートの状態を、各々でブロック状態とし、二つの終端局のうち、同期局から異常個所に向かう経路上の先に位置する終端局では、前記該ＳＹＮ断検出手段による異常状態の検出出力と、ＳＹＮ無検出手段によるＳＹＮ無検出出力により、同期局に向かう経路上で異常が発生したとして、該終端局（以降、ＳＹＮ断検出終端局と記載）は判断するステップと、
また、他方の終端局（以降、ＳＹＮ正常終端局と記載）では、ＳＹＮフレームを正常に受信し続けることから、前記該ＳＹＮ正常終端局から同期局間は正常に通信機能を維持していると判断するステップと、
ＳＹＮ断検出終端局は、
前記ＳＹＮ断検出と前記ＳＹＮ無検出手段からＳＹＮ断状態の異常発生を検出すると、直ちに、受信先としてＳＹＮ正常終端局を指定したＲＲＲフレームを、前記通信ポートＡ、前記通信ポートＢを介して送出するステップと、
前記ＲＲＲ応答確認手段にて、前記ＳＹＮ正常終端局とは反対側に隣接する伝送局からの応答を待機するステップと、
前記ＳＹＮ正常終端局では、該ＳＹＮ断検出終端局からのＲＲＲフレームを受信すると、自局が受信先のことから、該ブロックポート・リセット手段により、終端局としてブロック状態にあつたＲＲＲ受信ポートを非ブロック状態にし、終端局状態を解除するステップと、
前記ＳＹＮ断検出終端局から異常発生箇所に至る正常に機能する伝送局の各々は、前記ＳＹＮ断検出終端局からのＲＲＲフレームを受信すると、受信先でないことから、前記ＲＲＲ受信応答手段により、前記ＳＹＮ断検出終端局に向かう隣接する伝送局を受信先とするＲＲＲフレームを、ＲＲＲ受信ポートを介して、ＲＲＲフレームの受信完了後に直ちに送出するステップと、
前記ＳＹＮ断検出終端局では、前記ＲＲＲ応答確認手段により、前記同期局に向かう隣接局より自局が指定されたＲＲＲフレームの時間内での受信があると、異常検出時点からブロック状態にしていた通信ポートを非ブロック状態に変更し、その後、前記ＲＲＲ応答確認手段の予め指定した時間が経過後に、終端局として元々ブロック状態にあった他の通信ポートも非ブロック状態に変更して終端局状態を解除するステップと、
前記ＳＹＮ断検出終端局から異常発生箇所に至る正常に機能する各々の伝送局では、前記ＲＲＲ応答確認手段により、同期局に向かう隣接局より自局が指定されたＲＲＲフレームの受信を確認すると、異常検出時点からブロック状態にしていた受信ポートを非ブロック状態にするステップと、
前記ＳＹＮ断検出終端局に向かう異常個所に隣接する伝送局では、前記ＲＲＲ応答確認手段により、指定時間を経過しても自局を指定したＲＲＲフレームの受信がないことで、通信ポートのブロック状態を維持し、新たな終端局として機能するステップと、
前記ＳＹＮ断検出終端局に隣接する箇所にて異常が発生した場合には、同様に、前記ＲＲＲ応答確認手段により、予め指定した時間を経過しても自局を指定したＲＲＲフレームの受信がない場合は、異常検出時点でブロック状態にしていた通信ポートのブロック状態を維持するステップと、
終端局として元々ブロック状態にあった他方の通信ポートを非ブロック状態とし、新たな終端局とし、異常発生箇所から同期局に向かう隣接局と、異常発生箇所から反対側に向かう隣接局を、新たな二重リング・ネットワークの終端局とするように変更して、通信異常の発生時に、リング状のネットワークを再構成するステップと
を行うことを要旨とする。これによって、一箇所故障による通信異常が発生した場合に、故障箇所に隣接する伝送局を新たな終端局となるように、終端局の位置を変化させることで、ネットワークの機能
の全面停止を回避することができる。
【手続補正５】
【補正対象書類名】明細書
【補正対象項目名】００２４
【補正方法】変更
【補正の内容】
【００２４】
また、二重リング・ネットワークの異常発生時の再構築方法において、
初期化が完了し、二つの隣接する終端局により、伝送フレームがリング状のネットワーク内を循環し続けないよう構成された状態で、該伝送局の一つ以上が、特定情報を含む一つ以上の周期的に送出される伝送フレームに加え、ＳＹＮフレームや、単発的に送出される伝送フレームを、特に規定しない二重リング・ネットワーク上での伝送フレーム同士の衝突を回避する伝送路制御方式に従って送出している状態で、
伝送局は、
自局の識別情報を設定する自局アドレス設定手段と、通信ポートＡ、通信ポートＢに隣接する伝送局の識別情報を各々設定する隣接局アドレス設定手段Ａ、隣接局アドレス設定手段Ｂを用意し、
前記ＳＹＮフレームを送出する伝送局（以降、同期局と記載）含むめ伝送局から、終端局を含む経路上で、伝送路や伝送局に異常が発生した場合、異常発生個所から、終端局に至る伝送局では、異常発生に対応して、該ＳＹＮ無検出手段と該受信異常検出手段により異常状態を検出するステップと、
異常発生個所から同期局に向かう経路上で異常発生個所に隣接する伝送局では、
受信異常検出手段により異常状態を検出するステップと、
検出した通信ポートの状態を、各々でブロック状態とし、該二つの終端局のうち、同期局から異常個所に向かう経路上の先に位置する終端局では、該ＳＹＮ断検出手段による異常状態の検出出力と、ＳＹＮ無検出手段によるＳＹＮ無検出出力により、前記同期局に向かう経路上で異常が発生したとして、前記終端局（以降、ＳＹＮ断検出終端局と記載）は判断するステップと、
他方の終端局（以降、ＳＹＮ正常終端局と記載）では、ＳＹＮフレームを正常に受信し続けることから、前記ＳＹＮ正常終端局から同期局間は正常に通信機能を維持していると判断し、前記ＳＹＮ断検出終端局は、ＳＹＮ正常終端局から受信する伝送フレーム列を監視するステップと、
二重リングネットワーク上での伝送フレーム同士の衝突を回避する伝送路制御方式に従い自局に割り当てられた伝送フレームの送出タイミングで、受信先として前記ＳＹＮ正常終端局を指定した、特定制御情報を含む伝送フレーム（以降、ＲＲＲフレームと記載）を、通信ポートＡ、通信ポートＢを介して送出し、前記同期局に向かう隣接局から自局を受信先に指定したＲＲＲフレームの受信を待機するステップと、
前記ＳＹＮ正常終端局では、該ＳＹＮ断検出終端局からのＲＲＲフレームを受信すると、受信したＲＲＲフレーム中の受信先情報と自局識別情報とを比較し、自局が受信先のことから、該ＲＲＲフレームを受信した通信ポート（以降、ＲＲＲ受信ポート）を、終端局として元々ブロック状態であったものを非ブロック状態にし、終端局状態を解除するステップと、
前記ＳＹＮ断検出終端局から異常発生箇所に至る正常に機能する伝送局の各々は、前記ＳＹＮ断検出終端局からのＲＲＲフレームを受信すると、受信したＲＲＲフレーム中の受信先情報と自局識別情報とを比較するステップと、
受信先でないことから、該ＲＲＲ受信応答手段により、ＳＹＮ断検出終端局に向かう隣接する伝送局を受信先とするＲＲＲフレームを、ＲＲＲ受信ポートを介して、ＲＲＲフレームの受信完了後に、直ちに送出するステップと、
前記ＳＹＮ断検出終端局では、同期局に向かう隣接局より自局が指定されたＲＲＲフレームを予め指定した時間内で受信すると、異常検出時点からブロック状態にしていた通信ポートを非ブロック状態に変更するステップと、
その後、ＲＲＲ応答確認手段の予め指定した時間が経過後に、終端局として元々ブロック状態にあった他の通信ポートも非ブロック状態に変更し、終端局状態を解除するステップと、
前記ＳＹＮ断検出終端局から異常発生箇所に至る正常に機能する各々の伝送局では、同期局に向かう隣接局より自局が指定されたＲＲＲフレームの予め指定した時間内に受信を確認すると、異常検出時点からブロック状態にしていたＲＲＲ受信ポートを非ブロック状態にするステップと、
前記ＳＹＮ断検出終端局に向かう異常個所に隣接する伝送局では、前記ＲＲＲ応答確認手段により、予め指定した時間を経過しても自局を指定したＲＲＲフレームの受信がないことで、通信ポートのブロック状態を維持し、新たな終端局として機能するステップと、
前記ＳＹＮ断検出終端局に隣接する箇所にて異常が発生した場合には、同様に、予め指定した時間を経過しても自局を指定したＲＲＲフレームの受信がない場合は、異常検出時点でブロック状態にしていた通信ポートの状態を維持するステップと、
終端局としてブロック状態にあった他方の通信ポートを非ブロック状態とし、新たな終端局とし、異常発生箇所から同期局に向かう隣接局と、異常発生箇所から反対側に向かう隣接局を、新たな二重リング・ネットワークの終端局とするように変更して、通信異常の発生時に、リング状のネットワークを再構成するステップと、
を行うことを要旨とする。これによって、異常発生箇所から同期局に向かう隣接局と、異常発生箇所から反対側に向かう隣接局を、新たな二重リング・ネットワークの終端局とするように変更して、一箇所故障による通信異常の発生時に、ネットワーク機能の全面停止を回避することができる。
【手続補正６】
【補正対象書類名】明細書
【補正対象項目名】００２５
【補正方法】変更
【補正の内容】
【００２５】
また、二重リング・ネットワークの異常発生時の再構成方法において、
前記該通信ポートを介して送出し受信する該伝送フレーム形式、前記該通信ポートの伝送路インタフェースとして、ＩＳＯ／ＩＥＣ８８０２−３規格に従うことを要旨とする。
これによって、市場で広く流通する用品や応用技術を利用し活用して製品化することが可能となる。この場合、
本制御方式で使用するＳＹＮ、ＲＲＲ、ＩＮＺ、ＩＮＺ−ＣＯＭＰの伝送フレームは、特別にフィールド構成を規定したイーサネット（登録商標）・フレームフォーマットに限定しないことで、広い活用が可能となる。
【手続補正７】
【補正対象書類名】明細書
【補正対象項目名】００２６
【補正方法】変更
【補正の内容】
【００２６】
本発明のネットワークシステムは、双方向に通信が可能な第１の通信ポート及び第２の通信ポートを備えた伝送局を伝送路を介してリング状に接続し、これらの伝送局の内で基点局がフレーム信号を右回りの経路及び左周りの経路で送信し、右回りの経路の終端局及び左回りの経路の終端局のそれぞれが前記基点局からのフレーム信号を返信するネットワークシステムにおいて、
前記伝送局及び終端局並びに基点局は、
前記右回りの経路で通信可能とする第１の通信ポート及び前記左回りの経路で通信可能とする第２の通信ポートから前記フレーム信号が受信されたかどうかを判定する手段と、
前記受信されないときは、前記第１及び第２の通信ポートから経路確認のための経路確認フレーム信号を隣接の伝送局に送信する手段と、
前記経路確認フレームが隣接の伝送局から返信がないときは、自局を前記終端局として設定する手段と、
を備えてなることを要旨とする。
【手続補正８】
【補正対象書類名】明細書
【補正対象項目名】００２７
【補正方法】変更
【補正の内容】
【００２７】
また、自局が前記終端局となっているとき、前記フレーム信号が右回りの経路又は左回りの経路で入力しないときは、終端局としての設定を解除する手段と
を有することを要旨とする。
【手続補正９】
【補正対象書類名】明細書
【補正対象項目名】００２８
【補正方法】変更
【補正の内容】
【００２８】
また、ネットワークシステムの制御方法は、双方向に通信が可能な第１の通信ポート及び第２の通信ポートを備えた伝送局を、伝送路を介して接続し、これらの伝送局の内で基点局がフレーム信号を右回りの経路及び左周りの経路で送信して右回りの経路の終端局及び左回りの経路の終端局のそれぞれが前記基点局からのフレーム信号を返信し、いずれかの伝送路で異常が発生したときは、新たに終端局を設定するネットワークシステムの制御方法であって、
前記伝送局及び終端局並びに基点局は、
前記右回りの経路で通信可能とする第１の通信ポート及び前記左回りの経路で通信可能とする第２の通信ポートから前記フレーム信号が受信されたかどうかを判定する工程と、
前記受信されないときは、前記第１及び第２の通信ポートから経路確認のための経路確認フレーム信号を隣接の伝送局に送信する工程と、
前記経路確認フレームが隣接の伝送局から返信がないときは、自局を前記終端局として設定する工程と、
自局が右回りの経路で終端局となったときは、前記基点局からの右回りからのフレーム信号を後段の隣接する右の伝送局に伝送しない又は自局が左回りの経路で終端局となったときは後段の隣接する左の伝送局に伝送しない工程と、
を行うことを要旨とする。
【手続補正１０】
【補正対象書類名】明細書
【補正対象項目名】００２９
【補正方法】変更
【補正の内容】
【００２９】
また、ネットワークシステムの制御方法は、自局が前記終端局となっているとき、前記フレーム信号が右回りの経路又は左回りの経路で入力しないときは、終端局としての設定を解除する工程と
を行うことを要旨とする。
【手続補正１１】
【補正対象書類名】明細書
【補正対象項目名】００３０
【補正方法】変更
【補正の内容】
【００３０】
また、本発明の伝送局は、二重リング・ネットワークシステムの伝送路間に配置され、右回りで通信が可能な第１の通信ポート及び左回りで通信が可能な第２の通信ポートを備えた伝送局において、
前記右回りの経路で通信可能とする第１の通信ポート及び前記左回りの経路で通信可能とする第２の通信ポートから前記フレーム信号が受信されたかどうかを判定する手段と、
前記受信されないときは、前記第１及び第２の通信ポートから経路確認のための経路確認フレーム信号を隣接の伝送局に送信する手段と、
前記経路確認フレームが隣接の伝送局から返信がないときは、自局を前記終端局として設定する手段と、
自局が右回りの経路で終端局となったときは、前記基点局からの右回りからのフレーム信号を後段の隣接する右の伝送局に伝送しない又は自局が左回りの経路で終端局となったときは後段の隣接する左の伝送局に伝送しない手段とを備えたことを要旨とする。
【手続補正１２】
【補正対象書類名】明細書
【補正対象項目名】００３１
【補正方法】変更
【補正の内容】
【００３１】
また、本発明の伝送局は、自局が前記終端局となっているとき、前記フレーム信号が右回りの経路又は左回りの経路で入力しないときは、終端局としての設定を解除する手段と
を備えたことを要旨とする。
【手続補正１３】
【補正対象書類名】明細書
【補正対象項目名】００３２
【補正方法】変更
【補正の内容】
【００３２】
本発明の伝送局のプログラムは、二重リング・ネットワークシステムの伝送路間に配置され、右回りで通信が可能な第１の通信ポート及び左回りで通信が可能な第２の通信ポートを用いて制御を行う伝送局のプログラムであって、
コンピュータに、
前記右回りの経路で通信可能とする第１の通信ポート及び前記左回りの経路で通信可能とする第２の通信ポートから前記フレーム信号が受信されたかどうかを判定する手段、
前記受信されないときは、前記第１及び第２の通信ポートから経路確認のための経路確認フレーム信号を隣接の伝送局に送信する手段、
前記経路確認フレームが隣接の伝送局から返信がないときは、自局を前記終端局として設定する手段、
自局が右回りの経路で終端局となったときは、前記基点局からの右回りからのフレーム信号を後段の隣接する右の伝送局に伝送しない又は自局が左回りの経路で終端局となったときは後段の隣接する左の伝送局に伝送しない手段としての機能を実行させる。
【手続補正１４】
【補正対象書類名】明細書
【補正対象項目名】００３３
【補正方法】変更
【補正の内容】
【００３３】
また、本発明の伝送局のプログラムは、
前記コンピュータに、
自局が前記終端局となっているとき、前記フレーム信号が右回りの経路又は左回りの経
路で入力しないときは、終端局としての設定を解除する手段
としての機能を実行させる。
【手続補正１５】
【補正対象書類名】明細書
【補正対象項目名】００３４
【補正方法】削除
【補正の内容】
【手続補正１６】
【補正対象書類名】明細書
【補正対象項目名】００３５
【補正方法】削除
【補正の内容】
【手続補正１７】
【補正対象書類名】明細書
【補正対象項目名】００３６
【補正方法】削除
【補正の内容】
【手続補正１８】
【補正対象書類名】明細書
【補正対象項目名】００３７
【補正方法】削除
【補正の内容】
【手続補正１９】
【補正対象書類名】明細書
【補正対象項目名】００３８
【補正方法】削除
【補正の内容】
【手続補正２０】
【補正対象書類名】明細書
【補正対象項目名】００３９
【補正方法】削除
【補正の内容】
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】
【手続補正３０】
【補正対象書類名】明細書
【補正対象項目名】００４９
【補正方法】削除
【補正の内容】